(57)【特許請求の範囲】
【請求項１】
回転磁界を発生する固定子の内側に配置される回転子であって、外周部が円筒状のマグネットにより構成されているとともに、回転軸としてのシャフトにコアが固定されており、前記マグネットが緩衝部材を介して前記コアに保持されている電動機の回転子において、
前記マグネットの内周面側に前記シャフト側に向けて径方向に延びる凸部からなる第１受け部が形成されているとともに、前記第１受け部の両側に円盤状に形成された一対の緩衝部材が配置され、前記コアの外周面には前記一方の緩衝部材の側面に沿うように前記マグネット側に向けて径方向に延びる凸部からなる第２受け部が形成されており、前記第２受け部と前記他方の緩衝部材の側面に添設された端板とが、前記緩衝部材を貫通する連結手段により同緩衝部材を圧縮するように連結されていることを特徴とする電動機の回転子。
【請求項２】
前記連結手段が、前記第２受け部側から前記シャフトの軸線に対して平行に前記端板側に延びる係合爪と、前記端板側に穿設された係合孔とからなることを特徴とする請求項１に記載の電動機の回転子。
【請求項３】
前記コア側の第２受け部が、プラスチック樹脂により同コアと一体的に形成されていることを特徴とする請求項１または２に記載の電動機の回転子。
【請求項４】
前記係合爪の軸線と前記係合孔の軸線とが、嵌合に支障をきさない程度にずらされていることを特徴とする請求項２に記載の電動機の回転子。
【発明の詳細な説明】
【０００１】
【発明の属する技術分野】
本発明は、家電製品（空気調和機）等に用いる電動機の回転子に係り、特に詳しくは、マグネットの保持構造に特徴を有する電動機の回転子に関するものである。
【０００２】
【従来の技術】
電動機の回転子は、例えば図５（図６のＡ−ＡＡ線断面図）および図６に示すように、回転中心となるシャフト１に固定されたコア２と外周部を構成する円筒状のマグネット３との間に緩衝部材（ゴム）４，５を挿入し、シャフト１の軸方向から鉄板６，７を添えるとともに、ピン８を鉄板６，７およびゴム４，５に貫通してストッパ９で止めるようにしている。これによれば、鉄板６，７がゴム４，５を内部に押し込み、ゴム４，５を左右（図５で上下）に膨らませることから、マグネット３がコア２に保持されるとともに、ゴム４，５によってマグネット３の両端部（図５で左右）が抑え込まれる。
【０００３】
上記回転子の構成によれば、ゴム４，５によってマグネット３をコア２に保持することができるだけでなく、マグネット３の回転による振動は、ゴム４，５によって吸収されるため、コア２およびシャフト１には伝わらず、防振効果や偏心防止効果が発揮される。
【０００４】
具体的には、例えば特開平９ー１４９５７１の公報を参照されたいが、この先行例においては、ゴム４，５の緩衝部材をシャフト１の軸方向から挿入するために同緩衝部材を２分割していることから、同緩衝部材の挿入を容易にし、しかも２分割した緩衝部材の形状によって、同緩衝部材とマグネット３との接触部、同緩衝部材とコア２との接触部のずれによる回転子の偏心、傾きを防止することができる。
【０００５】
【発明が解決しようとする課題】
しかしながら、上記構成においては、マグネット３を保持し、また回転子の防心、偏心や傾きを防止するために、２枚の鉄板６，７、ピン８およびストッパ８という多くの部品を必要とするため、コスト高になってしまうという課題を抱えている。
【０００６】
本発明は、上記課題を解決するためになされたものであり、その目的は、回転子の振動防止、偏心防止や傾き防止を図ることができるとともに、少ない部品数で実現することにより、低コスト化を図ることができるようにした電動機の回転子を提供することにある。
【０００７】
【課題を解決するための手段】
上記目的を達成するために、本発明は、回転磁界を発生する固定子の内側に配置される回転子であって、外周部が円筒状のマグネットにより構成されているとともに、回転軸としてのシャフトにコアが固定されており、前記マグネットが緩衝部材を介して前記コアに保持されている電動機の回転子において、前記マグネットの内周面側に前記シャフト側に向けて径方向に延びる凸部からなる第１受け部が形成されているとともに、前記第１受け部の両側に円盤状に形成された一対の緩衝部材が配置され、前記コアの外周面には前記一方の緩衝部材の側面に沿うように前記マグネット側に向けて径方向に延びる凸部からなる第２受け部が形成されており、前記第２受け部と前記他方の緩衝部材の側面に添設された端板とが、前記緩衝部材を貫通する連結手段により同緩衝部材を圧縮するように連結されていることを特徴としている。
【０００８】
連結手段はボルトおよびナットからなるものであってもよいが、前記第２受け部側から前記シャフトの軸線に対して平行に前記端板側に延びる係合爪と、前記端板側に穿設された係合孔とからなることが好ましい態様として挙げられる。
【０００９】
また、前記コア側の第２受け部が、プラスチック樹脂により同コアと一体的に形成されていることが好ましく、これによれば、マグネットの保持機構の製造容易性、軽量化、低コスト化が図れる。
【００１０】
マグネット保持機構の強度および耐久性を高めるには、前記係合爪の軸線と前記係合孔の軸線とが、嵌合に支障をきさない程度にずらされていることが好ましいと言える。
【００１１】
【発明の実施の形態】
以下、本発明の実施の形態を図１ないし図４を参照して詳しく説明する。なお、図中、図５と同一部分には同一符号を付して重複説明を省略する。また、図１は図２に示すＢ−ＢＢ線の概略的断面図であり、図３は図１の左側からの平面図である。
【００１２】
図１ないし図３において、本発明の電動機の回転子は、外周部を構成する円筒状のマグネット１０の内周にシャフト１側に向けた所定厚さの凸部を第１受け部１１として当該円周方向で等間隔に複数個（例えば４個）設け、これら受け部１１からシャフト１の軸方向に所定間隔を置いてコア１２の外周にもマグネット１０に向けた所定厚さの凸部を第２受け部１３とし、これら受け部１１，１３の間に一対の緩衝部材（ゴム）１４，１５を介在させ、かつ、このゴム１４，１５によって受け部１１を挟持するとともに、ゴム１４の端部に端板１６を添え、この端板１６と受け部１３とを連結してゴム１４，１５を内部に押し込み、これらゴム１４，１５をマグネット１０の内周面およびコア１２の外周面に押し付けて同マグネット１０を同コア１２に保持する。なお、受け部１１はマグネット１０と一体成形し、受け部１３はコア１２と一体成形するとよい。
【００１３】
コア１２側の第２受け部１３は単なる凸部でなく、この受け部１３は、係合爪としてのシャフト１に平行な棒状部分１３ａを有し、この棒状部分１３ａを回転子の中心から所定距離で上記受け部１１の間の位置として複数個有する。しかも、これら棒状部分１３ａの先端には、受け部１３と端板１６とを連結するために同棒状部分１３ａに対して垂直方向の爪部１３ｂが設けられている。なお、棒状部分１３ａおよび爪部１３ｂを有する受け部１３はコア１２と一体的に形成するとよい。
【００１４】
一対のゴム１４，１５は、マグネット１０の内周面およびコア１２の外周面に接する中空の円形で、シャフト１に垂直軸に対して断面対称の形で、マグネット１０とコア１２の間に勘合する形状としている。つまり、ゴム１４，１５は、マグネット１０側の受け部１３を挟持し、マグネット１０の内周面、コア１２の外周面だけなく、受け部１１にも接する。また、各ゴム１４，１５は、コア１２側の棒状部分１３ａを貫通する孔１４ａ，１５ａを有している。
【００１５】
一対のゴム１４，１５のうちの一方のゴム１５の端面に添える端板１６は、少なくともコア１２の径より大きい径の孔を有する円形であり、この端板１６は爪部１３ｂに対応した孔１６ａを有している。
【００１６】
なお、図２および図３に示すように、棒状部分１３ａは円柱形状になっているが、角柱形状であってもよく、また爪部１３ｂの先端形状が矩形であるが、楕円形状（舌形状）であってもよい。
【００１７】
さらに、各ゴム１４，１５に形成する孔１４ａ，１５ａの形状は、爪部１３ｂより多少小さい孔でもよく、端板１６に形成する孔１６ａの形状は、爪部１３ｂより半径方向に短く、爪部１３ｂが端板１６に確実に係止する大きさにする必要がある。
【００１８】
上記構造とした回転子によると、図４に示すように、まずゴム１４，１５をマグネット１０の内部に装着し、このゴム１４，１５をそれぞれシャフト１の左右軸方向から挿入してマグネット１０の凸部を挟持する。なお、図４は図１に対応している。この場合、上述したように、ゴム１４，１５の外周側面は、マグネット１０の内周面に当接する。
【００１９】
続いて、コア１２に形成した受け部１３をシャフト１の軸方向（図４の右側）からマグネット１０に挿入するとともに、その棒状部分１３ａおよび爪部１３ｂを孔１４ａ，１５ａに通す。このとき、孔１４ａ，１５ａの形状が爪部１３ｂの形状より多少小さくとも、ゴム１４，１５の柔軟性により、棒状部分１３ａおよび爪部１３ｂを容易にその孔１４ａ，１５ａに通すことができる。
【００２０】
続いて、コア１２側の受け部１３と端板１６とを連結するために、端板１６をゴム１５の端部に添えて押し付け、この端板１６の孔１６ａを受け部１３の棒状部分１３ａの先端の爪部１３ｂに押し込み、この爪部１３ｂを端板１６に係止させる。この場合、爪部１３ｂの頭辺が斜めであることから、端板１６の孔１６ａを爪部１３ｂにはめることでき、各爪部１３ｂを同時に端板１６に係止させることができる。
【００２１】
なお、コア１２は、シャフト１と一体的に成形し、その材料としてプラスチック樹脂を用いる。また、受け部１３、棒状部分１３ａおよび爪部１３ｂの材質としてはブラスチック樹脂を用い、端板１６の材質としては金属あるいは同じプラスチック樹脂を用いると、製造の容易性、回転子の軽量化、低コスト化が図れる。
【００２２】
さらに、爪部１３ｂおよび端板１６を同じ金属材料で構成することも可能である。この場合、端板１６の孔１６ａは、爪部１３ｂに合った形状とし、その孔１６ａの中心を爪部１３ｂの中心より少しずらせば、その分、爪部１３ｂを端板１６の面に係止させることができる。
【００２３】
受け部１３の棒状部分１３ａの長さは、ゴム１４，１５の厚さ（シャフト１の軸方向の厚さ）と端板１６の厚さを考慮し、例えば、端板１６をゴム１５の端部に添えたときに爪部１３ｂを確認することができる程度とする。これにより、爪部１３ｂと端板１６の孔１６ａとの位置合わせを容易に行なうことができる。
【００２４】
このように、マグネット１０側の受け部１１とコア１２側の受け部１３とを強固に連結するだけでなく、端板１６をゴム１５側に押え込み、かつ、受け部１３をゴム１４側に押え込むとになり、ゴム１４，１５は、マグネット１０およびコア１２側に膨らみ、マグネット１０をコア１２に保持させることができる。しかも、その保持部品としてはゴム１４，１５および端板１６だけでよく、少ない部品で済ますことができる。
【００２５】
なお、前述した実施例では、マグネット１０側の受け部１１は、当該円周方向に複数個設けられ、これらの受け部１１の間に、コア１２側の受け部１３の棒状部分１３ｂが位置しているが、マグネット１０側の受け部を１つとし、この受け部に棒状部分１３ａおよび爪部１３ｂを貫通する孔を形成する。つまり、コア１２側の受け部１３に対してマグネット１０側に受け部を形成し、この受け部に棒状部分１３ｂおよび爪部１３ｂの形状より大きい孔を形成する。なお、棒状部分１３ａおよび爪部１３ｂを貫通する孔はできるだけ大きくすればよい。
【００２６】
【発明の効果】
以上説明した本発明によれば、以下に述べる効果を奏する。すなわち、本発明は、マグネット側の受け部とコア側の受け部とを連結してそれら受け部の間の緩衝部材（ゴム）を押圧し、しかもその緩衝部材（ゴム）がマグネットの内周およびコアの外周に当接し、押圧していることから、マグネットをコアに確実に保持させることができるという効果がある。
【００２７】
また、そのマグネットの保持は、緩衝部材によって行われていることから、回転子の回転時の振動防止、偏心防止や傾き防止を図ることができるという効果がある。
【００２８】
さらに、コア側の受け部、棒状部分および爪部を一体形成し、またマグネット側の受け部についても一体形成することにより、マグネットの保持のためには、緩衝部材、板を用いるだけよいことから、部品点数を削減することができ、電動機のコストダウンを図ることができるという効果がある。
【図面の簡単な説明】
【図１】本発明の一実施の形態を示す電動機の回転子の概略的断面図。
【図２】図１に示す回転子の概略的平面図。
【図３】図１に示す回転子の概略的平面図。
【図４】図１に示す回転子を説明するための回転子の概略的断面図。
【図５】従来の電動機の回転子の概略的断面図。
【図６】図５に示す回転子の概略的平面図。
【符号の説明】
１  シャフト（回転軸）
１０  マグネット
１１  受け部（マグネット１０側の）
１２  コア
１３  受け部（コア１２側の）
１３ａ  棒状部分
１３ｂ  爪部
１４，１５  ゴム（緩衝部材）
１４ａ，１５ｂ  孔
１６  端板
１６ａ  孔
【図１】
0004102950.tif 000002
【図２】
0004102950.tif 000003
【図３】
0004102950.tif 000004
【図４】
0004102950.tif 000005
【図５】
0004102950.tif 000006
【図６】
0004102950.tif 000007